(57)【要約】      （修正有）【課題】予定表の曜日を容易に素早く表示することのできる曜日シートを提供する。【解決手段】予定表の曜日欄３に曜日を連続して表示する曜日シート１であって、曜日シートは、予定表の曜日欄の一列に表示される曜日数に、少なくとも６曜日分が延設して表示されている。また、曜日シートの端部の６曜日の何れかには、磁石が設けられている。また、磁石は、連続して表示された各曜日の表示位置に、所定間隔で設けられている。また、磁石は、両面磁石である。【選択図】図１
0003226198.tif 000002
【実用新案登録請求の範囲】
【請求項１】
予定表の曜日欄に曜日を連続して表示する曜日シートであって、
前記曜日シートは、予定表の曜日欄の一列に表示される曜日数に、少なくとも６曜日分が延設して表示されていることを特徴とする曜日シート。
【請求項２】
前記曜日シートの端部の６曜日の何れかには、磁石が設けられていることを特徴とする請求項１記載の曜日シート。
【請求項３】
前記磁石は、連続して表示された各曜日の表示位置に、所定間隔で設けられていることを特徴とする請求項２記載の曜日シート。
【請求項４】
前記磁石は、両面磁石であることを特徴とする請求項２または請求項３記載の曜日シート。
【考案の詳細な説明】
【技術分野】
【０００１】  この考案は、予定表の曜日欄に取り付けて曜日を表示する曜日シートに関する。
【背景技術】
【０００２】  一般的な予定表は、月の記入欄と、１〜３１日までの数字を１段に並べた日付欄と、その日付欄の下に設けた空白の曜日欄と、さらにその下に設けたスケジュール記入欄とからなる。また、全体を２段に分けて、上段に１〜１５日まで、下段に１６〜３１日までを配するようにした２段書きタイプのものもある。【０００３】  以上は縦書きタイプの予定表であり、同様な構成で縦横を入れ換えた横書きタイプの予定表もある。而して、前記のように曜日欄は空白になっていて、毎月月初めに手書きで全ての曜日を記入するか、あるいは当月下旬頃になると当月上旬頃の経過した曜日を消し、翌月の曜日を先に記入するなどして使用されている。【０００４】  しかし、このような作業は毎月必要になり、これを簡単にするために、例えば特許文献１のように曜日を印刷したマグネットタイプの曜日表示板を曜日欄に貼り付ける方法がある。また、特許文献２のように５曜日を連続して印刷したものと、一曜日を印刷したものをそれぞれ複数用いて使用する方法もある。
【先行技術文献】
【特許文献】
【０００５】
【特許文献１】特開２００２―２４４５５９号広報
【０００６】
【特許文献２】特開１９９６−２８６６０９号広報
【考案の概要】
【考案が解決しようとする課題】
【０００７】  しかしながら、このような先行技術による方法は、一ヶ月ごとに曜日表示板を全部入れ替える際に手間がかかり、曜日表示板は小さいため紛失し易いという課題があった。本考案は上記のような課題を解決するためになされたもので、予定表の曜日を容易に素早く表示することのできる曜日シートを提供することを目的とする。
【課題を解決するための手段】
【０００８】  本考案の第１の特徴である曜日シートは、予定表の曜日欄に曜日を連続して表示する曜日シートであって、前記曜日シートは、予定表の曜日欄の一列に表示される曜日数に、少なくとも６曜日分が延設して表示されている。【０００９】  本考案の第２の特徴である曜日シートは、前記曜日シートの端部の６曜日の何れかには、磁石が設けられている。【００１０】  本考案の第３の特徴である曜日シートは、前記磁石が、連続して表示された各曜日の表示位置に、所定間隔で設けられている。【００１１】  本考案の第４の特徴である曜日シートは、前記磁石が、両面磁石である。
【考案の効果】
【００１２】  本考案の第１の特徴により、曜日シートの両端の少なくとも６曜日の各曜日から折り返せるので、曜日シートの一端、または両端の数曜日を折り返すことで、年月によって変わる予定表の曜日を日付に合わせて表示することができ、不要な曜日を目立たなくすることができる。また、手書きで書き込む必要がなくなり一枚の曜日シートで予定表の曜日欄一つを表示することができるので、曜日の張り替え作業が容易に素早くでき、個々の曜日がずれることなく綺麗に貼り付けることができる。また、個々の曜日を紛失することがなくなる。【００１３】  本考案の第２の特徴により、曜日シートを磁性体の予定表に吸着させることができる。【００１４】  本考案の第３の特徴により、磁石の数を減らすことができるので製造コストを削減できる。【００１５】  本考案の第４の特徴により、曜日シートを折り返した際に磁石どうしが吸着し、曜日シートどうしがずれなくなるので、予定表の曜日欄に貼り付けやすくなる。また、吸着力が強くなるので、磁性体の予定表に吸着させた際にずれにくくなる。
【図面の簡単な説明】
【００１６】
【図１】本考案の曜日シートの一使用例を示す正面図である。
【図２】（ａ）は一列型縦書き予定表の正面図、（ｂ）は実施例１の曜日シートの正面図である。
【図３】（ａ）〜（ｆ）は実施例１の使用例を説明する曜日シートの正面図、底面図、裏返した図である。
【図４】（ａ）〜（ｃ）は実施例２を説明する曜日シートの正面図、底面図、裏返した図である。
【図５】（ａ）〜（ｃ）は実施例３を説明する曜日シートの正面図、底面図、裏返した図である。
【図６】（ａ）〜（ｃ）は実施例４を説明する曜日シートの正面図、底面図、裏返した図である。
【図７】（ａ）〜（ｃ）は実施例５を説明する曜日シートの正面図、底面図、裏返した図である。
【図８】二列型縦書き予定表の正面図である。
【考案を実施するための形態】
【００１７】  以下、本考案の一実施形態について図面を参照しながら説明する。
【実施例１】
【００１８】  図２（ａ）は一列型縦書き予定表の正面図であり、図２（ｂ）は本考案の実施例１を示す曜日シートの正面図である。これらの図を参照して説明すると、図２（ａ）の一列型縦書き予定表２は、月の記入欄と、１〜３１日までの数字を並べた日付欄と、その日付欄の下に設けた空白の曜日欄３と、さらにその下に設けたスケジュール記入欄とからなる。図２（ｂ）の曜日シート１は、シート状の合成樹脂で形成され、縦の長さは図２（ａ）の曜日欄３と同じで、横の長さは、予定表の曜日欄３の一列に表示される曜日数、即ち曜日欄３の３１曜日より６曜日分長くした３７曜日分であり、曜日シート１の一端から各曜日を日曜日から連続して３７曜日横書きに印刷したものである。また、曜日シート１に印刷した各曜日の間に罫線を印刷した方がよいが、印刷しなくても構わない。なお、例えば曜日欄３の一列に表示される曜日数が１５曜日である場合は、曜日シートの一端から連続して２１曜日を一列横書きに表示した曜日シートとすればよく、「予定表の曜日欄の一列に表示される曜日数に、少なくとも６曜日分が延設して表示されている」とは、例えば３７曜日、２１曜日、２２曜日が表示されていることになる。【００１９】  次に、曜日シート１を使用して、図２（ａ）の一列型縦書き予定表２に曜日を表示する方法について図３（ａ）〜（ｆ）を参照して説明する。図２（ａ）の一列型縦書き予定表２の第一日目が日曜日で始まり３１日ある月の場合は、図３（ａ）〜（ｃ）に示すように、曜日シート１の右端の６曜日を裏側に折り返して、図２（ａ）の曜日欄３にテープ、磁石又は画びょう等を用いて貼り付ける。【００２０】  次に、前記予定表２の第一日目が月曜日で始まり、３１日ある月の場合は、図３（ｄ）〜（ｆ）に示すように、曜日シート１の左端の１曜日と右端の５曜日を裏側に折り返して前記したように貼り付ける。このように、曜日シート１の一端、または両端の折り返す曜日数を変えることで一列型縦書き予定表２の第一日目が何曜日でも対応することができる。また、月の日数が３１日以外の場合は折り返す曜日を増やすことで対応することができる。
【実施例２】
【００２１】  図４（ａ）〜（ｃ）は実施例２を示す曜日シート１２の正面図、底面図、裏返した図である。図４（ａ）〜（ｃ）の曜日シート１２について説明するが、実施例１と同様の構成については説明を省略し、以下の実施例についても同じである。図４（ｂ）に示すように、曜日シート１２は板状の両面磁石５と板状の片面磁石６が貼着されて形成されており、両面磁石５と片面磁石６は、連続して表示された各曜日の表示位置に、所定間隔で交互に設けられている。両面磁石５と片面磁石６の縦の長さは図４（ａ）の曜日シート１２と同じであり、横の長さは、曜日シート１２が折り返せるように、図２（ａ）の曜日欄３の一枡（１曜日分）より両面磁石５または片面磁石６の厚み三枚分短くし、曜日シート１２の両端から少なくとも６曜日の各曜日から折り返せるようになっている。また、曜日シート１２の裏の一端から両面磁石５と片面磁石６を交互に曜日欄３の枡の間隔と同じ間隔で貼着している。その際に片面磁石６は着磁した側を曜日シート１２に貼着している。【００２２】  曜日シート１２の使用方法については、実施例１と同様であり、磁性体の予定表に曜日シート１２の両面磁石５又は片面磁石６を吸着させて使用することができる。また、曜日シート１２に貼着した両面磁石５、片面磁石６は、曜日シート１２の両端の少なくとも６曜日の各曜日から折り返せて、折り返した際に重なる磁石どうしが反発しなければ両面磁石５、片面磁石６の数は何個でもよく、少なくとも曜日シート１２の端部の６曜日の何れかに、磁石が設けられていればよい。また、両面磁石５、片面磁石６の縦と横の長さは前記したより長くても短くてもよい。また、両面磁石５、片面磁石６を交互に貼着しなくてもよい。また、片面磁石６は着磁していない側を貼着してもよく、曜日シート１２に貼着した両面磁石５、片面磁石６の間隔は、曜日シート１２の両端の少なくとも６曜日の各曜日から折り返すことができれば、前記したより狭くても広くてもよい。
【実施例３】
【００２３】  図５（ａ）〜（ｃ）は実施例３を示す曜日テープの正面図、側面図、裏返して見た図である。図５（ｂ）に示すように、曜日シート１３は板状の両面磁石５が貼着されて形成されており、両面磁石５は、連続して表示された各曜日の何れかの表示位置に、所定間隔で設けられている。両面磁石５の縦の長さは図５（ａ）の曜日シート１３と同じであり、横の長さは、曜日シート１３を折り返した際に両面磁石５どうしが重ならないように、図２（ａ）の曜日欄３の一枡（１曜日分）より両面磁石５の厚み分短くし、曜日シート１３の両端から少なくとも６曜日の各曜日から折り返せるようになっている。また、図５（ａ）の曜日シート１３の裏の一端から一曜日置きに貼着している。【００２４】  曜日シート１３の使用方法については、実施例１と同様であり、磁性体の予定表に曜日シート１３の両面磁石５を吸着させて使用することができる。また、曜日シート１３に貼着した両面磁石５は、曜日シート１３の両端の少なくとも６曜日の各曜日から折り返せて、折り返した際に両面磁石５どうしが重ならなければ、両面磁石５数は何個でもよく、少なくとも曜日シート１３の端部の６曜日の何れかに、磁石が設けられていればよい。また、両面磁石５の縦と横の長さは前記したより長くても短くてもよい。また、一曜日置きに貼着しなくてもよい。さらに両面磁石５は片面磁石でもよいし、両面磁石と片面磁石を両方使用してもよい。
【実施例４】
【００２５】  図６（ａ）〜（ｃ）は実施例４を示す曜日シート１４の正面図、側面図、裏返して見た図である。図６（ｂ）に示すように、曜日シート１４は板状の両面磁石５が貼着されて形成されており、両面磁石５は、連続して表示された各曜日の表示位置に、所定間隔で設けられている。両面磁石５の縦の長さは図６（ａ）の曜日シート１４と同じであり、横の長さは曜日シート１４が折り返せるように、図２（ａ）の曜日欄３の一枡（１曜日分）より両面磁石５の厚み三枚分短くし、曜日シート１４の両端から少なくとも６曜日の各曜日から折り返せるようになっている。また、曜日シート１４の裏の一端から両面磁石５を曜日欄３の枡の間隔と同じ間隔で貼着している。その際に曜日シート１４を折り返した際に重なる両面磁石５どうしが吸着するように磁極を交互に貼着する。【００２６】  曜日シート１４の使用方法については、実施例１と同様であり、磁性体の予定表に曜日シート１４の両面磁石５を吸着させて使用することができる。また、曜日シート１４に貼着した両面磁石５は、曜日シート１４の両端の少なくとも６曜日の各曜日から折り返せて、折り返した際に重なる磁石どうしが吸着すれば、両面磁石５の数は何個でもよく、少なくとも曜日シート１４の端部の６曜日の何れかに、磁石が設けられていればよい。また、両面磁石５の縦と横の長さは前記したよりも長くても短くてもよい。また、片面磁石を使用することもできる。また、曜日シート１４に貼着した両面磁石５の間隔は、曜日シート１４の両端の少なくとも６曜日の各曜日から折り返せれば、前記したより狭くても広くてもよい。
【実施例５】
【００２７】  図７（ａ）の磁石貼着シート４はシート状の合成樹脂に両面磁石５が貼着されて形成されており、磁石貼着シート４の縦と横の長さは、実施例１の曜日シート１と同じとする。図７（ａ）の両面磁石５は板状の両面磁石で形成されており、縦の長さは図７（ａ）の磁石貼着シート４と同じで、横の長さは、磁石貼着シート４が折り返せるように、図２（ａ）の曜日欄３の一枡（１曜日分）より両面磁石５の厚み三枚分短くし、曜日欄３の枡の間隔と同じ間隔で貼着している。また、磁石貼着シート４を折り返した際に、重なる磁石どうしが吸着するように磁極を交互に貼着している。また、両面磁石５は、磁石貼着シート４の一端から連続して各曜日を表示している。【００２８】  磁石貼着シート４の使用方法については実施例１と同様であり、磁性体の予定表に磁石貼着シート４の両面磁石５を吸着させて使用することができる。また、透明な磁石貼着シート４を使用するなど、印刷した曜日が見えれば両面磁石５は印刷した側を貼着することもでき、磁石貼着シート４に曜日を表示すれば磁石５の数を減らすことができる。さらに、磁石貼着シート４に表示した曜日の両端の少なくとも６曜日の各曜日から折り返すことができれば、磁石５の数は何個でもよいし、縦と横の長さは前記したよりも長くても短くてもよく、両面磁石でなくてもよい。また、磁石貼着シート４に貼着した両面磁石５の間隔は、磁石貼着シート４の両端の少なくとも６曜日の各曜日から折り返せれば、前記したより狭くても広くてもよい。【００２９】  なお、各実施例の曜日シート１、１２、１３、１４、磁石貼着シート４は合成樹脂を使用したが、折り返すことができれば同様に適用でき、同様の効果を奏するので、紙、木、金属等何でも使用することができ、曜日の表示方法は印刷する以外に、掘る、貼り付ける等何でもよい。また、上記の各実施例では図２（ａ）の一列型縦書き予定表２を対象に説明したが、図８の二列型縦書き予定表のように曜日欄が複数ある場合には、上記したように曜日を表示する対象となる予定表の曜日欄より、少なくとも６曜日分延設して表示し、両端の少なくとも６曜日の各曜日から折り返せる曜日シート１、１２，１３，１４、を複数使用することで対応することができる。【００３０】  また、各実施例の曜日シート１、１２、１３、１４、磁石貼着シート４、両面磁石５、片面磁石６は、縦と横の長さや厚み等本明細書で限定するものでなく、曜日を表示する対象となる予定表の曜日欄の大きさに合わせれば、どのような大きさの予定表にも使用することができ、両面磁石５、片面磁石６は板状でなくてもよい。【００３１】  さらに、曜日シート１、１２、１３、１４、磁石貼着シート４に各曜日を日曜日から連続して表示したが、他の曜日からでもよいし、曜日シート１、１２，１３，１４、磁石貼着シート４の長さは曜日を表示する対象となる予定表の曜日欄より７曜日分以上長くてもよく、表示する曜日数は予定表の曜日欄より７曜日以上多くてもよい。また、縦書きに曜日を表示すれば、横書き予定表にも同様に対応することができる。【００３２】  以上、この考案の実施形態を、図面を参照して詳述してきたが、具体的な構成は上記の実施例に限られるものではなく、この考案の要旨を逸脱しない範囲の設計変更等も含まれる。
【符号の説明】
【００３３】  １，１２，１３，１４  曜日シート
２  一列型縦書き予定表
３  曜日欄
４  磁石貼着シート
５  両面磁石
６  片面磁石
【図１】
0003226198.tif 000003
【図２】
0003226198.tif 000004
【図３】
0003226198.tif 000005
【図４】
0003226198.tif 000006
【図５】
0003226198.tif 000007
【図６】
0003226198.tif 000008
【図７】
0003226198.tif 000009
【図８】
0003226198.tif 000010
【手続補正書】
【提出日】令和1年12月12日(2019.12.12)
【手続補正１】
【補正対象書類名】実用新案登録請求の範囲
【補正対象項目名】請求項２
【補正方法】変更
【補正の内容】
【請求項２】
前記曜日シートの端部の６曜日における各曜日の何れかには、磁石が設けられていることを特徴とする請求項１記載の曜日シート。